(57)【特許請求の範囲】
【請求項１】
縦長のベースと、他方の短辺から引き剥がすように取り外し可能で且つ前記ベースの前面に着脱自在に嵌着される縦長のカバーと、電子回路を実装して前記ベースに載置されるプリント配線基板と、前記プリント配線基板の前記カバー側に設けられる前記ベースよりも小さく形成された中カバーとを含んで構成されて、前記中カバーは、前記ベース本体に固定されており、前記カバーに形成された操作部を操作することによって受信機へ所定の信号を送信するようにしたワイヤレス送信機であって、一方の短辺に設けられ、且つ、長辺であって当該短辺の近傍となる位置にも設けられている第１の係止機構と、他方の短辺に設けられ、且つ、長辺であって当該短辺の近傍となる位置にも設けられている第２の係止機構とを備えるとともに、長辺に設けた前記第１の係止機構の係止力を長辺に設けた前記第２の係止機構の係止力よりも強くし、前記第１の係止機構と前記第２の係止機構とをもって、前記カバーを前記中カバーに着脱自在に係止させることを特徴とするワイヤレス送信機。
【請求項２】
前記長辺に設けた第１の係止機構はカバー内側面に設けた凸部とベース側面の対応位置に設けた凹部とで構成されてなり、前記長辺に設けた第２の係止機構はカバー内側面に設けた係止爪とベース側面の対応位置に設けた爪係止部であることを特徴とする請求項１記載のワイヤレス送信機。
【請求項３】
前記他方の短辺の略中央部にカバー外し段部を設けたことを特徴とする請求項１または２記載のワイヤレス送信機。
【発明の詳細な説明】
【０００１】
【発明の属する技術分野】
本発明はワイヤレス送信機に関する。
【０００２】
【従来の技術】
近時、ワイヤレス送受信機は比較的低コストにて実現できるようになり、テレビをはじめビデオデッキや照明器具の制御あるいは用件通報装置にまでも、赤外線や電波を用いたワイヤレス送受信技術が用いられるに至り、ワイヤレスリモコンなどと称される各種のワイヤレス送信機が利用されている。そして、これらのワイヤレス送信機にあっては、カバーとベースとで外殻を構成し、内部に電子回路を実装したプリント配線基板が配置されている。
【０００３】
そこで、従来のワイヤレス送信機にあっては、カバーから突出する図６に示すような係止爪Ａを上下左右などの４箇所に設け、このそれぞれの係止爪Ａの先端をベースに設けた対応する係止段部にそれぞれ引っかけることによって、カバーをベースに着脱自在に嵌着している。
【０００４】
【発明が解決しようとする課題】
しかしながら、従来のワイヤレス送信機にあっては、係止爪Ａが長いとともに係止爪Ａが係止段部に引っかかるのに大きな撓み変位量が必要で、係止爪Ａが引っかかる相手側であるベースの係止段部の周辺に逃げスペースが必要であるから、カバーとベースとで構成した外殻の内部に、電子回路を実装したプリント配線基板を高密度に収納配設しようとすると、逃げスペースの分だけ無駄になって容積効率が悪くなる。また、電池交換や修理のためにカバーをベースから外す場合、外し難く係止爪Ａを破損し易い、という問題点があった。
【０００５】
本発明は上記の問題点を解決するためになされたもので、その目的とするところは、カバーをベースにしっかり嵌着できるにもかかわらずカバーをベースから容易に外すことが可能で、カバーとベースとの係止機構を破損し難く、しかもカバーとベースとの形成する内部空間に対し収容できる容積効率を損なうことのない、優れたワイヤレス送信機を提供することにある。
【０００６】
【課題を解決するための手段】
本発明は上記の問題点を解決するため、請求項１記載の発明にあっては、縦長のベースと、他方の短辺から引き剥がすように取り外し可能で且つ前記ベースの前面に着脱自在に嵌着される縦長のカバーと、電子回路を実装して前記ベースに載置されるプリント配線基板と、前記プリント配線基板の前記カバー側に設けられる前記ベースよりも小さく形成された中カバーとを含んで構成されて、前記中カバーは、前記ベース本体に固定されており、前記カバーに形成された操作部を操作することによって受信機へ所定の信号を送信するようにしたワイヤレス送信機であって、一方の短辺に設けられ、且つ、長辺であって当該短辺の近傍となる位置にも設けられている第１の係止機構と、他方の短辺に設けられ、且つ、長辺であって当該短辺の近傍となる位置にも設けられている第２の係止機構とを備えるとともに、長辺に設けた前記第１の係止機構の係止力を長辺に設けた前記第２の係止機構の係止力よりも強くし、前記第１の係止機構と前記第２の係止機構とをもって、前記カバーを前記中カバーに着脱自在に係止させたことを特徴とする。
【０００７】
請求項２記載の発明にあっては、前記長辺に設けた第１の係止機構はカバー内側面に設けた凸部とベース側面の対応位置に設けた凹部とで構成されてなり、前記長辺に設けた第２の係止機構はカバー内側面に設けた係止爪とベース側面の対応位置に設けた爪係止部であることを特徴とする。
【０００８】
請求項３記載の発明にあっては、前記他方の短辺の略中央部にカバー外し段部を設けたことを特徴とする。
【０００９】
なお、ベースと、該ベースの前面に着脱自在に嵌着されるカバーと、電子回路を実装して内部に納装されるプリント配線基板とを含んで構成されて、前記カバーに形成された操作部を操作することによって受信機へ所定の信号を送信するようにしたワイヤレス送信機において、カバー内側面に凸部を設けるとともにベース側面に凹部を設け、前記凸部を前記凹部に係止する係止機構を用いて、カバーをベースの前面に着脱自在に嵌着するようにしてもよい。これによれば、着脱自在の係止機構のための無駄な逃げスペースが少ないため、容積を効率的に使用できる。
【００１０】
また、このワイヤレス送信機において、前記係止機構を構成する凹部と凸部との対を、２箇所以上に設けるようにするとよい。これによれば、着脱自在にカバーをベースに固く確実に固定できる。
【００１１】
また、このワイヤレス送信機において、前記係止機構を構成する凹部と凸部との対を、ベースからカバーを外すときの力の支点となる近傍位置に、配設するとよい。これによれば、着脱自在にカバーをベースに固く確実に固定できるにもかかわらず、ベースからカバーを比較的弱い力で簡単に外すことのできる。
【００１２】
更に、このワイヤレス送信機において、前記凸部を前記凹部に係止する係止機構の係止力と異なる係止力の、係止爪による係止機構を付加するとよい。一方の係止機構を支点にカバーをベースから簡単に外せるにもかかわらず、カバーをベースに強固に固定できる。
【００１３】
【発明の実施の形態】
以下、本発明に係る一実施の形態のワイヤレス送信機を図１〜図５に基づいて詳細に説明する。図１はワイヤレス送信機を示す斜視図、図２はワイヤレス送信機を示す分解斜視図、図３はワイヤレス送信機のカバーの裏面を示す斜視図、図４はワイヤレス送信機のカバーを外した状態を示す斜視図、図５はワイヤレス送信機のカバーとベースとの係止機構を説明する要部断面図であり、図５（ａ）は凹部と凸部との係止関係を示し、図５（ｂ）は凹部と凸部との係止以外のその他の係止関係を示している。
【００１４】
図１に示すワイヤレス送信機１は、縦１６０ｍｍ×横６０ｍｍ×高さ１５ｍｍ程度の大きさのもので、大人が片手で握りながら、操作押釦２０ａ，２０ｂ，２０ｃをそれぞれ操作できる大きさにされている。このワイヤレス送信機１は、３個の操作押釦２０ａ，２０ｂ，２０ｃを備え、現場の運用形態に応じて予め定めた取り決めに基づいて、例えば、操作押釦２０ａを押下すると「お茶」を飲みたいことを意味する信号電波Ｗをワイヤレス受信機（図示せず）へ送信し、操作押釦２０ｂを押下すると「トイレ」に行きたいことを意味する信号電波Ｗをワイヤレス受信機（図示せず）へ送信し、操作押釦２０ｃを押下すると「コール」を意味する信号電波Ｗをワイヤレス受信機（図示せず）へ送信する。そして、ワイヤレス受信機（図示せず）は、前記信号電波Ｗを受信するたびに、その信号電波Ｗの意味する内容を、表示や文字や音声などにより、例えば老人介護者に報知する。
【００１５】
図２に示すように、ワイヤレス送信機１は、化粧プレート２と、カバー本体３と、中カバー４と、プリント配線基板５と、ベース本体６とを含んで構成される。化粧プレート２は、柔軟性があり且つ透明なシート状の生地からなり、表面には操作押釦２０ａ，２０ｂ，２０ｃなどが印刷されるとともに、印刷の施されていない部分は略長方形の用件透かし部２１ａ，２１ｂ，２１ｃと小さな長円形の照光透かし部２２とにされている。
【００１６】
カバー本体３は、ＡＢＳ樹脂などからなる後方面の開口する偏平な略矩形箱状の成形品である。カバー本体３は化粧プレート２を貼着するための貼着平面部３０を備える。貼着平面部３０は開口部３１ａ，３１ｂ，３１ｃと照光孔３２とを備える。また、カバー本体３は、内側のコーナー部近傍と長辺の中間部の近傍とに、後述するベース８に着脱自在に係止する、係止爪３３ａ，３３ｂ，３３ｃ，３３ｄ，３３ｅ，３３ｆを備える。更に、カバー本体３は、一方の長辺の内側面の上方側に（照光孔３２側に）凸部に相当する係止凸部３４ａ，３４ａを、また対向する側に係止凸部３４ｂ，３４ｂを、それぞれ備えている。また更に、カバー本体３は、内面に立設された電池押さえ３５ａ，３５ｂを備える。
【００１７】
なお、本実施の形態にあっては、係止爪３３ａ，３３ｂと係止凸部３４ａ，３４ａ，３４ｂ，３４ｂとは請求項５における第１の係止機構に相当し、係止爪３３ｃ，３３ｄ，３３ｅ，３３ｆは本発明の第２の係止機構に相当し、第１の係止機構の係止力は第２の係止機構の係止力よりも強くされている。また、係止爪３３ｅ，３３ｆよりは係止爪３３ｃ，３３ｄの方が係止力は強く、係止爪３３ｃ，３３ｄよりは係止爪３３ａ，３３ｂの方が係止力は強くされている。
【００１８】
つまり、後述するカバー７を後述するベース８から取り外すために形成された取り外し段部６９を設けてある側に近いほど、すなわちカバー７をベース８から引き剥がすように取り外す場合に力点となる側に近いほど、係止爪の係止力は弱くされている。
【００１９】
中カバー４は、ＡＢＳ樹脂などからなる後方面の開口する偏平な略矩形箱状の成形品であり、カバー本体３よりもやや小さく成形されている。中カバー４は、片持ち構造であって一辺を軸に回動により浮き沈み可能なスイッチ押圧部４０ａ，４０ｂ，４０ｃと、固定された平面であるラベル貼着部４１ａ，４１ｂ，４１ｃと、照光孔４２と、電池収納口４３と、ビス止め孔４４ａ，４４ｂ，４４ｃと、仮止め係止段部４５ａ，４５ｂと、凹部に相当する被係止凹部４６ａ，４６ｂとを備える。なお、被係止凹部４６ａは係止凸部３４ａ，３４ａが嵌入する一つの窪みとして形成され、被係止凹部４６ｂは係止凸部３４ｂ，３４ｂが嵌入する一つの窪みとして形成されている。また、電池収納口４３は単４乾電池２本分の大きさにされている。
【００２０】
プリント配線基板５は、略長方形に切断された銅張積層板に、エッチング処理を施して精細な電気回路を形成したものであり、中カバー４よりもやや小さくされている。プリント配線基板５は、ブザー実装孔５０と、ビス止め孔５１ａ，５１ｂと、位置決め孔５２ａ，５２ｂと、位置決め切り欠き５３と、逃がし切り欠き５４ａ，５４ｂとを備える。また、プリント配線基板５には、押釦スイッチ５５ａ，５５ｂ，５５ｃ、発光ダイオード５６、ディップスイッチ５７、プラス電極５８ａ、マイナス電極５８ｂなどが、それぞれ半田付けされている。しかも、プラス電極５８ａとマイナス電極５８ｂとのそれぞれは、プリント配線基板５の端部からプリント配線基板５の面に沿って平行に外側に飛び出すように半田付けすることによって、乾電池の電極と接触する渦巻き部をプリント配線基板５の外側に位置せしめるようにしてある。
【００２１】
ベース本体６は、ＡＢＳ樹脂などからなり、前方面の開口する偏平な略矩形箱状の成形品であり、カバー本体３とちょうど対応する大きさに成形されている。ベース本体６は、撓み防止支柱６０ａ，６０ｂ，６０ｃと、位置決め支柱６１ａ，６１ｂと、位置決めリブ６２と、電池収容部６３と、溝状の電極保持溝部６４ａ，６４ｂと、ブザー（図示せず）を挿着するための円筒状の凹所であるブザー実装部６５と、雌ねじが設けられた止めねじ孔６６ａ，６６ｂ，６６ｃと、凹所として形成された逃げスペース６７ａ，６７ｂ，６７ｃ，６７ｄ，６７ｅ，６７ｆと、仮止め係止段部４５ａ，４５ｂに係止する仮止め係止爪６８ａ，６８ｂと、カバー外し段部６９とを備える。
【００２２】
上述のような化粧プレート２とカバー本体３とは、化粧プレート２をカバー本体３の貼着平面部３０に貼着することによって、図４に示すようなカバー７になる。そして、貼着平面部３０に化粧プレート２を貼着すると、開口部３１ａには化粧プレート２の操作押釦２０ａと用件透かし部２１ａとが位置し、開口部３１ｂには化粧プレート２の操作押釦２０ｂと用件透かし部２１ｂとが位置し、開口部３１ｃには化粧プレート２の操作押釦２０ｃと用件透かし部２１ｃとが位置し、照光孔３２には化粧プレート２の照光透かし部２２が位置する。
【００２３】
また、上述のような中カバー４とプリント配線基板５とベース本体６とは、次のように組み立てられて図４に示すベース８になる。すなわち、先ず、プリント配線基板５をベース本体６に載置する。そして、ベース本体６に立設する位置決め支柱６１ａ，６１ｂの先端をプリント配線基板５の位置決め孔５２ａ，５２ｂに挿入するとともに、プリント配線基板５の位置決め切り欠き５３にベース本体６の位置決めリブ６２を嵌合することによって、またそれと同時に、プリント配線基板５の端部から飛び出しているプラス電極５８ａの渦巻き部を電極保持溝部６４ａに、プリント配線基板５の端部から飛び出しているマイナス電極５８ｂの渦巻き部を電極保持溝部６４ｂにそれぞれ挿入することによって、プリント配線基板５をベース本体６に仮止め位置決めする。
【００２４】
すると、押釦スイッチ５５ａ，５５ｂ，５５ｃの真後のプリント配線基板５に、ベース本体６に立設する撓み防止支柱６０ａ，６０ｂ，６０ｃの先端がちょうど当接するようになって、押釦スイッチ５５ａ，５５ｂ，５５ｃに押圧力が加わっても、プリント配線基板５を撓まないようにできる。また、プリント配線基板５のブザー実装孔５０はベース本体６のブザー実装部６５の真前に位置することになるとともに、プリント配線基板５のビス止め孔５１ａ，５１ｂはベース本体６の止めねじ孔６６ａ，６６ｂの真前に位置する。
【００２５】
その後、更に、中カバー４をプリント配線基板５の前方に被せ、中カバー４のそれぞれの長辺の略中央部をベース本体６に押圧して、仮止め係止段部４５ａを仮止め係止爪６８ａに係止するとともに仮止め係止段部４５ｂを仮止め係止爪６８ｂに係止して仮止めした後、ビス（図示せず）をビス止め孔４４ａ，４４ｂ，４４ｃにそれぞれ挿入してねじ止めする。
【００２６】
すると、ビス止め孔４４ａに挿入したビス（図示せず）にあっては、そのねじ足部は、ビス止め孔５１ａを貫通し、止めねじ孔６６ａに達して螺着する。ビス止め孔４４ｂに挿入したビス（図示せず）にあっては、そのねじ足部は、ビス止め孔５１ｂを貫通し、止めねじ孔６６ｂに達して螺着する。ビス止め孔４４ｃに挿入したビス（図示せず）にあっては、そのねじ足部は、ビス止め孔５１ｃを貫通し、止めねじ孔６６ｃに達して螺着する。そして、中カバー４とプリント配線基板５とベース本体６とは、一体に組み立てられて、図４に示すようなベース８になる。
【００２７】
このとき、中カバー４のスイッチ押圧部４０ａ，４０ｂ，４０ｃは押釦スイッチ５５ａ，５５ｂ，５５ｃの真前に、照光孔４２は発光ダイオード５６の真前に、電池収納口４３は電池収容部６３の真前に、それぞれ位置する。また、この段階で、例えば、「お茶」と記載されたラベル９ａをラベル貼着部４１ａに貼着し、「トイレ」と記載されたラベル９ｂをラベル貼着部４１ｂに貼着し、「コール」と記載されたラベル９ｃをラベル貼着部４１ｃに貼着するとともに、電池収納部６３に単４乾電池２本を収納する。
【００２８】
以上のように組み立てたカバー７を以上のように組み立てたベース８に被せて、お互いに密着するように押さえると、カバー本体３の係止爪３３ａ，３３ｂ，３３ｃ，３３ｄ，３３ｅ，３３ｆの先端のテーパ部は、係止爪３３ａ，３３ｂ，３３ｃ，３３ｄ，３３ｅ，３３ｆの外方向の弾性変形による撓みを伴いながら、中カバー４の外周側面を滑って、ベース本体６の逃げスペース６７ａ，６７ｂ，６７ｃ，６７ｄ，６７ｅ，６７ｆに達する。そして、遂には、係止爪３３ａ，３３ｂ，３３ｃ，３３ｄ，３３ｅ，３３ｆの先端近傍の係止テーパ部はこの係止爪の復元弾性力によって中カバー４の外周縁に着脱自在に係止するとともに、カバー本体３の係止凸部３４ａ，３４ａの係止テーパ部は中カバー４の被係止凹部４６ａに、カバー本体３の係止凸部３４ｂ，３４ｂの係止テーパ部は中カバー４の被係止凹部４６ｂに、それぞれ着脱自在に係止する。そして、カバー７は着脱自在にベース８に取着して、ワイヤレス送信機１が完成する。
【００２９】
なお、図５（ａ）にあっては、カバー本体３の係止凸部３４ａ，３４ａの係止テーパ部が、中カバー４の被係止凹部４６ａに係止した状態を示している。また、図５（ｂ）にあっては、カバー本体３の係止爪３３ｃの先端近傍の係止テーパ部が、中カバー４の外周縁に係止した状態を示している。
【００３０】
このようにして完成したワイヤレス送信機１にあっては、操作押釦２０ａ，２０ｂ，２０ｃの対向位置にはスイッチ押圧部４０ａ，４０ｂ，４０ｃが位置し、用件透かし部２１ａ，２１ｂ，２１ｃの対向位置にはラベル貼着部４１ａ，４１ｂ，４１ｃに貼着されたラベル９ａ，９ｂ，９ｃが位置し、照光透かし部２２の対向位置には照光孔４２が位置することになる。そして、使用者が指にて例えば操作押釦２０ａを押圧すると、ワイヤレス送信機１は、「お茶」を飲みたいことを意味する信号電波Ｗを送出するとともに、使用者に信号電波Ｗを送出した旨を認識させるために、発光ダイオード５６の発光を照光透かし部２２から出力すると同時に、ブザー実装部６５に実装されたブザー（図示せず）から鳴動音を出力する。
【００３１】
ところで、電池が消耗して電池交換などを行う場合、ベース本体６の下部に形成されたカバー外し段部６９に指を引っかけ、カバー７に手前方向にベース８から引き剥がすような力を加える。すると、先ず係止爪３３ｅ，３３ｆが中カバー４の外周縁から外れ、次に係止爪３３ｃ，３３ｄが中カバー４の外周縁から外れ、その次に係止凸部３４ａ，３４ａ，３４ｂ，３４ｂが中カバー４の被係止凹部４６ａ，４６ｂから外れ、最後に係止爪３３ａ，３３ｂが中カバー４の外周縁から外れ、最終的にカバー７はベース８から完全に外れて図４に示す状態になり、電池交換が行える状態になる。
【００３２】
従って、上述のようなワイヤレス送信機１にあっては、少なくとも、係止凸部３４ａ，３４ａ，３４ｂ，３４ｂと中カバー４の被係止凹部４６ａ，４６ｂとの係止は、小さな突起と小さな窪みとの嵌め合いによって係止機構を構成するので、係止のための逃げスペースが少なくて済み、内部に収容する容積効率を損なうことなくカバー７とベース８との嵌合を行うことができる。
【００３３】
なお、係止凸部３４ａ，３４ａ，３４ｂ，３４ｂと中カバー４の被係止凹部４６ａ，４６ｂとの係止位置および係止爪３３ａ，３３ｂと中カバー４の外周縁との係止位置を、ベース本体６の下部に形成されたカバー外し段部６９に指を引っかけて、カバー７に手前方向にベース８から引き剥がすような力を加えたときの、カバー７がベース８から剥がれるときの支点位置近傍になるようにしたので、梃子の原理で剥がし力が増幅されて、係止凸部３４ａ，３４ａ，３４ｂ，３４ｂと中カバー４の被係止凹部４６ａ，４６ｂとの係止力および係止爪３３ａ，３３ｂと中カバー４の外周縁との係止力はかなり強力であるにもかかわらず簡単に外すことができるうえに、しかもカバー７をベース８に強固に固定できる。
【００３４】
【発明の効果】
請求項１記載の発明によれば、第１の係止機構によってカバーをベースに強固に固定できるにもかかわらず、カバーをベースから外すときには第２の係止機構なみの比較的弱い力で簡単に取り外すことのできる、優れるワイヤレス送信機を提供できるという効果を奏する。また、着脱自在の係止機構のための無駄な逃げスペースが少ないため、内部に収容する容積効率を損なうことなくカバーとベースとの嵌合を行うことができる。
【００３５】
請求項２記載の発明によれば、請求項１記載の発明の効果に加えて更に、梃子の原理における力点になる方が係止爪による係止機構であり、支点になる方が凸部と凹部とによる係止機構となるので、係止爪の破損し難い、優れるワイヤレス送信機を提供できるという効果を奏する。
【００３６】
請求項３記載の発明によれば、請求項１または２記載の発明の効果に加えて更に、梃子の原理による力の増幅作用を充分に利用しながら、カバーをベースから取り外すことの可能な、優れるワイヤレス送信機を提供できるという効果を奏する。
【図面の簡単な説明】
【図１】本発明に係る一実施の形態のワイヤレス送信機を示す斜視図である。
【図２】上記ワイヤレス送信機を示す分解斜視図である。
【図３】上記ワイヤレス送信機のカバーの裏面を示す斜視図である。
【図４】上記ワイヤレス送信機のカバーを外した状態を示す斜視図である。
【図５】上記ワイヤレス送信機のカバーとベースとの係止機構を説明する要部断面図である。
【図６】従来のワイヤレス送信機のカバーとベースとの係止機構を説明する要部斜視図である。
【符号の説明】
１            ワイヤレス送信機
２０ａ，２０ｂ，２０ｃ        操作部
３３ａ，３３ｂ，３３ｃ，３３ｄ，３３ｅ，３３ｆ    係止爪
３３ａ，３３ｂ，３４ａ，３４ｂ    第１の係止機構
３３ｃ，３３ｄ，３３ｅ，３３ｆ    第２の係止機構
３４ａ    凸部
３４ｂ    凸部
４６ａ    凹部
４６ｂ    凹部
５              プリント配線基板
７            カバー
８            ベース
【図１】
0003598794.tif 000002
【図２】
0003598794.tif 000003
【図３】
0003598794.tif 000004
【図４】
0003598794.tif 000005
【図５】
0003598794.tif 000006
【図６】
0003598794.tif 000007